(57)【要約】  【課題】いろいろな使い方をしたいといったユーザのニーズに好適に対応可能な収納ボックスを提供する。  【解決手段】異なるタイプの複数のピースの中から選択したピースを組み立てることにより、複数の仮想小区分ｍから成る大区分の収納空間が、その選択したピースに囲まれて形成されるようにした収納ボックスＸであって、各ピースが、前記仮想小区分ｍの形成単位である基準寸法の略整数倍の寸法の組立基準辺を少なくとも一辺に具備し、選択したピースを、前記組立基準辺を基準に組み立てることにより、複数の仮想小区分ｍからなる断面視多角形状を成す大区分の収納空間が、その選択したピースに囲まれて形成されるようにした。【選択図】図５
2006062668.tif 000002
【特許請求の範囲】
【請求項１】
異なるタイプの複数のピースの中から選択したピースを組み立てることにより、複数の仮想小区分から成る大区分の収納空間が、その選択したピースに囲まれて形成されるようにした収納ボックスであって、
各ピースが、前記仮想小区分の形成単位である基準寸法の略整数倍の寸法の組立基準辺を少なくとも一辺に具備し、
選択したピースを、前記組立基準辺を基準に組み立てることにより、複数の仮想小区分からなる断面視多角形状を成す大区分の収納空間が、その選択したピースに囲まれて形成されるようにしたことを特徴とする収納ボックス。
【請求項２】
基準寸法の少なくとも２倍以上の寸法の組立基準辺を四辺に有する断面視略矩形状の仮想大区分を囲む外周又は、前記仮想大区分を構成する複数の仮想小区分から１以上の仮想小区分を取り除いた残りの仮想小区分を囲む外周と、前記大区分の収納空間の外周とが一致するように、異なるタイプの複数のピースの中からピースを選択するようにしたことを特徴とする請求項１記載の収納ボックス。
【請求項３】
前記仮想大区分の一辺上に配される平板状のピースと、前記仮想大区分の少なくとも一辺を内側へ凹ませるべく、前記仮想大区分の一辺上を避けた位置に配される凹み部形成用のピースとを具備し、
これら平板状のピースと凹み部形成用のピースとから、組み立てに用いるピースを選択するようにしたことを特徴とする請求項２記載の収納ボックス。
【請求項４】
前記凹み部形成用のピースにより前記大区分の収納空間の外周上に現れる凹凸形状を利用して、他の収納ボックスとかみ合わせて使用し得るように構成したことを特徴とする請求項３記載の収納ボックス。
【請求項５】
前記仮想大区分が、縦横３列に並べた略正方形状をなす９個の仮想小区分から成るものであって、
前記大区分の収納空間が、少なくとも中央の１個の仮想小区分を残しながら、且つ、前記仮想大区分の四辺において各辺の少なくとも一部に仮想小区分が残ることを条件として、他の８個の仮想小区分のうち０個又は１個以上の仮想小区分を、前記仮想大区分から除外して成る形状を有するように、組み立てに用いるピースを選択するようにしたことを特徴とする請求項２乃至４いずれか記載の収納ボックス。
【請求項６】
６タイプのピースの中から組み立てに用いる複数のピースを選択するようにしたものであって、
第１タイプのピースが、基準寸法の略３倍の寸法の組立基準辺を、一辺に有する平板状のピースであり、
第２タイプのピースが、基準寸法の略２倍の寸法の組立基準辺を、一辺に有する平板状のピースであり、
第３タイプのピースが、基準寸法と略対応した寸法の組立基準辺を、一辺に有する平板状のピースであり、
第４タイプのピースが、基準寸法と略対応した寸法の組立基準辺を、各辺に有する略Ｌ字状のピースであり、
第５タイプのピースが、基準寸法と略対応した寸法の組立基準辺を、各辺に有する略Ｕ字状のピースであり、
第６タイプのピースが、基準寸法と略対応した寸法の組立基準辺と基準寸法の略２倍の寸法の組立基準辺とを、各辺に有する略Ｌ字状のピースであることを特徴とする請求項３又は４記載の収納ボックス。
【請求項７】
異なるタイプの複数のピースの全てが、組立基準辺を一辺に有する平板状のものであることを特徴とする請求項１または２記載の収納ボックス。
【請求項８】
各ピースが、ピース同士を連結するための鍔部を備えるものであって、
一のピースの鍔部と他のピースの鍔部とを重合させて連結することを特徴とする請求項１乃至７いずれか記載の収納ボックス。
【請求項９】
一のピースの鍔部と他のピースの鍔部とを重合させて連結する際に、
隣接する仮想小区分の境界から収納空間側にオフセットした位置で重合するように構成したことを特徴とする請求項８記載の収納ボックス。
【請求項１０】
前記鍔部が、組立基準辺の両端に、その組立基準辺と略４５度を成して設けられるものであって、
組立基準辺または複数の鍔部を接地させて使用する使用態様を取り得るようにしたことを特徴とする請求項８又は９記載の収納ボックス。
【発明の詳細な説明】
【技術分野】
【０００１】
本発明は、異なるタイプの複数のピースの中から選択したピースを組み立て形成する収納ボックスに関するものである。
【背景技術】
【０００２】
従来から、物品を収納する収納ボックスとして、複数のピースを組み立てることにより、１つの収納空間が形成されるようにしたものがが知られている。
【０００３】
具体的には、一対のＬ字型側壁と平板状の底壁とからなり、このＬ字型側壁の端部同士を嵌合し、底板を側壁上部から嵌挿入することにより、一対のＬ字型側壁と底壁とで囲まれた空間に、物品を収納可能な収納空間が形成されるように構成している（例えば、特許文献１参照。）。
【特許文献１】特開２００３−２６１６１号公報（第２〜３頁、第１図）
【発明の開示】
【発明が解決しようとする課題】
【０００４】
しかしながら、このようなものでは、決まった形状の収納空間しか形成されず、物品を側壁に立て掛けたり底壁に載置したりし得るものの、物品の収納態様は、あくまでその決まった形状の収納空間の範疇での話であり、多くのバリエーションを生み出すものではない。また、収納ボックス自体の置き方にしても、非常に限られ、いろいろな使い方ができるものではなく、使用しているうちに自然と飽きが来てしまう。すなわち、収納ボックスをいろいろな使い方をしたいといったユーザのニーズに好適に対応できないといった問題点を有している。
【０００５】
本発明は、このような課題に着目してなされたものであって、主たる目的は、いろいろな使い方をしたいといったユーザのニーズに好適に対応可能な収納ボックスを提供することにある。
【課題を解決するための手段】
【０００６】
すなわち、本発明の収納ボックスは、異なるタイプの複数のピースの中から選択したピースを組み立てることにより、複数の仮想小区分から成る大区分の収納空間が、その選択したピースに囲まれて形成されるようにした収納ボックスであって、各ピースが、前記仮想小区分の形成単位である基準寸法の略整数倍の寸法の組立基準辺を少なくとも一辺に具備し、選択したピースを、前記組立基準辺を基準に組み立てることにより、複数の仮想小区分からなる断面視多角形状を成す大区分の収納空間が、その選択したピースに囲まれて形成されるようにしたことを特徴とする。
【０００７】
このようなものであれば、異なるタイプの複数のピースの中から選択したピースを、組立基準辺を基準に組み立てるだけで、複数の仮想小区分からなる断面視多角形状を成す大区分の収納空間が、その選択したピースに囲まれて形成されるので、断面視多角形状を成す大区分の収納空間を利用して、物品をいろいろな収納態様で収納することができる。また、外周に出てくる凹凸形状を利用して、当該収納ボックスをいろいろな置き方をすることができるので、使用しているうちに飽きが来てしまうことを防止することができる。すなわち、いろいろな使い方をしたいといったユーザのニーズに好適に対応可能な収納ボックスを提供することができる。
【０００８】
異なるタイプの複数のピースの中からピースを選択する具体的な態様としては、基準寸法の少なくとも２倍以上の寸法の組立基準辺を四辺に有する断面視略矩形状の仮想大区分を囲む外周又は、前記仮想大区分を構成する複数の仮想小区分から１以上の仮想小区分を取り除いた残りの仮想小区分を囲む外周と、前記大区分の収納空間の外周とが一致するように、異なるタイプの複数のピースの中からピースを選択するようにしたものが挙げられる。
【０００９】
無用に複雑化することなくシンプルなピースを用いて収納ボックスを形成し得るようにするには、前記仮想大区分の一辺上に配される平板状のピースと、前記仮想大区分の少なくとも一辺を内側へ凹ませるべく、前記仮想大区分の一辺上を避けた位置に配される凹み部形成用のピースとを具備し、これら平板状のピースと凹み部形成用のピースとから、組み立てに用いるピースを選択するようにしていることが好ましい。
【００１０】
よりバリエーション豊かな使い方のできる収納ボックスを実現するには、前記凹み部形成用のピースにより前記大区分の収納空間の外周上に現れる凹凸形状を利用して、他の収納ボックスとかみ合わせて使用し得るように構成することが望ましい。
【００１１】
また、前記仮想大区分が、縦横３列に並べた略正方形状をなす９個の仮想小区分から成るものであって、前記大区分の収納空間が、少なくとも中央の１個の仮想小区分を残しながら、且つ、前記仮想大区分の四辺において各辺の少なくとも一部に仮想小区分が残ることを条件として、他の８個の仮想小区分のうち０個又は１個以上の仮想小区分を、前記仮想大区分から除外して成る形状を有するように、組み立てに用いるピースを選択するようにしたものであれば、例えば、縦横４列に並べた略正方形をなす１６個の仮想小区分から成る仮想大区分を利用してピースを選択するものに比べ、無用に複雑化することもないので製品化し易く、また、縦横２列に並べた略正方形をなす４個の仮想小区分から成る仮想大区分を利用してピースを選択するものに比べ、仮想大区分のバリエーションを多くできるので、いろいろな使い方をすることができる。すなわち、製品化するに非常に適した収納ボックスを提供することができる。
【００１２】
本発明の収納ボックスの望ましい態様としては、６タイプのピースの中から組み立てに用いる複数のピースを選択するようにしたものであって、第１タイプのピースが、基準寸法の略３倍の寸法の組立基準辺を、一辺に有する平板状のピースであり、第２タイプのピースが、基準寸法の略２倍の寸法の組立基準辺を、一辺に有する平板状のピースであり、第３タイプのピースが、基準寸法と略対応した寸法の組立基準辺を、一辺に有する平板状のピースであり、第４タイプのピースが、基準寸法と略対応した寸法の組立基準辺を、各辺に有する略Ｌ字状のピースであり、第５タイプのピースが、基準寸法と略対応した寸法の組立基準辺を、各辺に有する略Ｕ字状のピースであり、第６タイプのピースが、基準寸法と略対応した寸法の組立基準辺と基準寸法の略２倍の寸法の組立基準辺とを、各辺に有する略Ｌ字状のピースであるものが挙げられる。
【００１３】
ところで、異なるタイプの複数のピースの全てが、組立基準辺を一辺に有する平板状のものであれば、例えば、組み立てずに運送すれば、かさばらないので運送費を安価にできる等、省スペース化による経済的な効果を得られる。
【００１４】
各ピースを簡単に連結するには、各ピースが、ピース同士を連結するための鍔部を備えるものであって、一のピースの鍔部と他のピースの鍔部とを重合させて連結することが望ましい。
【００１５】
一のピースの鍔部と他のピースの鍔部とを重合させて連結する際に、隣接する仮想小区分の境界から収納空間側にオフセットした位置で重合するように構成したものであれば、重合した鍔部が、仮想小区分の境界から反収納空間側に飛び出ないので、その反収納空間側にある物品と無用に干渉せず、使い勝手がよい。特に、他の収納ボックスとかみ合わて使用する際に、連結部分がかみ合わせの妨げにならず、好適に使用できる。
【００１６】
前記鍔部が、組立基準辺の両端に、その組立基準辺と略４５度を成して設けられるものであって、組立基準辺または複数の鍔部を接地させて使用する使用態様を取り得るようにしたものであれば、組立基準辺を接地させた使用態様や複数の鍔部を接地させた使用態様などの異なる使用態様を取れる等、バリエーションに富んだ使い方ができる収納ボックスを提供することができる。
【発明の効果】
【００１７】
以上説明したように本発明の収納ボックスによれば、異なるタイプの複数のピースの中から選択したピースを、組立基準辺を基準に組み立てるだけで、複数の仮想小区分からなる断面視多角形状を成す大区分の収納空間が、その選択したピースに囲まれて形成されるので、断面視多角形状を成す大区分の収納空間を利用して、物品をいろいろな収納態様で収納することができる。また、外周に出てくる凹凸形状を利用して、当該収納ボックスをいろいろな置き方をすることができるので、使用しているうちに飽きが来てしまうことを防止することができる。
【００１８】
すなわち、いろいろな使い方をしたいといったユーザのニーズに好適に対応可能な収納ボックスを提供することができる。
【発明を実施するための最良の形態】
【００１９】
以下、本発明の一実施形態を、図面を参照して説明する。
【００２０】
本発明に係る収納ボックスＸは、図１、図２に示す異なるタイプの６つのピースＡ〜Ｆの中から選択したピースを、後述する組立基準辺を基準に組み立てることにより、図３〜図５等に示す複数の仮想小区分ｍから成る断面視多角形状を成す大区分の収納空間が、その選択したピースに囲まれて形成されるようにしたものである。
【００２１】
なお、本実施形態では、組み立てて出来上がる大区分の収納空間に対して、その断面形状ごとに分類して「０１」〜「１９」（但し、「０９」、「１５」を除く）の番号を付し、例えば、番号「０１」を付した大区分の収納空間であれば、これを「０１」タイプの収納空間と呼称するようにしている。
【００２２】
各ピースについて説明をする前に、まず、仮想小区分ｍについて説明をしておく。
【００２３】
仮想小区分ｍは、四辺全てに基準寸法（本実施形態では、１００ｍｍ）が設定された断面視略正方形状を成すものである。そして、９個の仮想小区分ｍを、縦横３列に並べることにより、断面視略正方形状を成す仮想大区分Ｍが形成される。
【００２４】
次に、各ピースについて説明をする。
【００２５】
本実施形態で使用する各ピースＡ〜Ｆは、厚み３ｍｍのアルミプレートを、塑性変形加工等によって形成しているが、各ピースＡ〜Ｆに用いる素材はこれに限られるものではない。
【００２６】
図１、図２に示すように、第１タイプのピースＡは、薄板状の第１面板部Ａ１と、この第１面板部Ａ１の両側縁に連続して設けた薄板状の第１左鍔部Ａ２および第１右鍔部Ａ３とを備えてなる平板状のピースである。第１面板部Ａ１は、基準寸法（１００ｍｍ）の略３倍の寸法（３０８ｍｍ）の組立基準辺Ａ１１を一辺に有し、且つ、この組立基準辺Ａ１１と直交する方向に３００ｍｍの奥行き寸法を有するものである。第１左鍔部Ａ２および第１右鍔部Ａ３は、それぞれ組立基準辺Ａ１１と略４５度を成すように設けられる側面視略矩形状のものであって、厚み方向に貫通する３つの取付孔ｐが形成してあり、この取付孔ｐとビス（図示せず）とを利用して、他のピースとの組み立てを行うことができるようにしている。なお、第１左鍔部Ａ２および第１右鍔部Ａ３の一部に「左」「右」の名称を説明の便宜上付しているが、組立を行う場合には、この名称の方向に関係なく組み立てることができる。また、以下に説明する鍔部においても同様である。
【００２７】
第２タイプのピースＢは、薄板状の第２面板部Ｂ１と、この第２面板部Ｂ１の両側縁に連続して設けた薄板状の第２左鍔部Ｂ２および第２右鍔部Ｂ３とを備えてなる平板状のピースである。第２面板部Ｂ１は、基準寸法（１００ｍｍ）の略２倍の寸法（１９８ｍｍ）の組立基準辺Ｂ１１を一辺に有し、且つ、この組立基準辺Ｂ１１と直交する方向に３００ｍｍの奥行き寸法を有するものである。第２左鍔部Ｂ２および第２右鍔部Ｂ３は、第１タイプのピースＡの第１左鍔部Ａ２等と同様の構成であるので説明を省略する。
【００２８】
第３タイプのピースＣは、薄板状の第３面板部Ｃ１と、この第３面板部Ｃ１の両側縁に連続して設けた薄板状の第３左鍔部Ｃ２および第３右鍔部Ｃ３とを備えてなる平板状のピースである。第３面板部Ｃ１は、基準寸法（１００ｍｍ）と略対応した寸法（８２ｍｍ）の組立基準辺Ｃ１１を一辺に有し、且つ、この組立基準辺Ｃ１１と直交する方向に３００ｍｍの奥行き寸法を有するものである。第３左鍔部Ｃ２および第３右鍔部Ｃ３は、第１タイプのピースＡの第１左鍔部Ａ２等と同様の構成であるので説明を省略する。
【００２９】
第４タイプのピースＤは、直交配置される薄板状の第４左面板部Ｄ１および第４右面板部Ｄ２と、前記第４左面板部Ｄ１および第４右面板部Ｄ２の先端縁にそれぞれ連続して設けた薄板状の第４左鍔部Ｄ３および第４右鍔部Ｄ４とを備えてなる断面視略Ｌ字状のピースである。第４左面板部Ｄ１および第４右面板部Ｄ２は、それぞれ基準寸法（１００ｍｍ）と略対応した寸法（９０ｍｍ）の組立基準辺Ｄ１１、Ｄ２１を一辺に有し、且つ、この組立基準辺Ｄ１１、Ｄ２１と直交する方向に３００ｍｍの奥行き寸法を有するものである。なお、第４左面板部Ｄ１と第４右面板部Ｄ２とは幅１０．５ｍｍの中間部を介して接続するようにしているが、この中間部を用いずに直接接続することを妨げない。また、第４左鍔部Ｄ３および第４右鍔部Ｄ４は、第１タイプのピースＡの第１左鍔部Ａ２等と同様の構成であるので説明を省略する。
【００３０】
第５タイプのピースＥは、対向配置される薄板状の第５左面板部Ｅ１および第５右面板部Ｅ２と、これら第５左面板部Ｅ１および第５右面板部Ｅ２の基端縁に連続して設けた薄板状の第５中面板部Ｅ３と、前記第５左面板部Ｅ１および第５右面板部Ｅ２の先端縁にそれぞれ連続して設けた薄板状の第５左鍔部Ｅ４および第５右鍔部Ｅ５とを備えてなる断面視略Ｕ字状のピースである。第５左面板部Ｅ１、第５右面板部Ｅ２および第５中面板部Ｅ３は、それぞれ基準寸法（１００ｍｍ）と略対応した寸法（９０ｍｍ、９０ｍｍ、１０３ｍｍ）の組立基準辺Ｅ１１、Ｅ２１、Ｅ３１を、各辺に有し、且つ、これら各組立基準辺Ｅ１１、Ｅ２１、Ｅ３１と直交する方向に３００ｍｍの奥行き寸法を有するものである。なお、第５左面板部Ｅ１と第５右面板部Ｅ２と、及び第５左面板部Ｅ１と第５右面板部Ｅ２とはそれぞれ幅１０．５ｍｍの中間部を介して接続するようにしているが、この中間部を用いずに直接接続することを妨げない。また、第５左鍔部Ｅ４および第５右鍔部Ｅ５は、第１タイプのピースＡの第１左鍔部Ａ２等と同様の構成であるので説明を省略する。
【００３１】
第６タイプのピースＦは、直交配置される薄板状の第６短面板部Ｆ１および第６長面板部Ｆ２と、前記第６短面板部Ｆ１および第６長面板部Ｆ２の先端縁にそれぞれ連続して設けた薄板状の第６左鍔部Ｆ３および第６右鍔部Ｆ４とを備えてなる断面視略Ｌ字状のピースである。第６短面板部Ｆ１および第６長面板部Ｆ２は、それぞれ基準寸法（１００ｍｍ）と略対応した寸法（９０ｍｍ）の組立基準辺Ｆ１と基準寸法の略２倍の寸法（２０７ｍｍ）の組立基準辺Ｆ２とを、各辺に有し、且つ、これら各組立基準辺Ｆ１１、Ｆ２１と直交する方向に３００ｍｍの奥行き寸法を有するものである。なお、第６短面板部Ｆ１と第６長面板部Ｆ２とは幅１０．５ｍｍの中間部を介して接続するようにしているが、この中間部を用いずに直接接続することを妨げない。また、第６左鍔部Ｆ３および第６右鍔部Ｆ４は、第１タイプのピースＡの第１左鍔部Ａ２等と同様の構成であるので説明を省略する。
【００３２】
このように、第１〜第６タイプのピースＡ、Ｂ、Ｃ、Ｄ、Ｅ、Ｆ全てが、基準寸法の略整数倍の寸法の組立基準辺を少なくとも一辺に具備している。
【００３３】
なお、第１〜第６タイプのピースＡ、Ｂ、Ｃ、Ｄ、Ｅ、Ｆは、図３に示すように、仮想大区分Ｍの一辺上に配される平板状のピースと、仮想大区分Ｍの少なくとも一辺を内側へ凹ませるべく、前記仮想大区分Ｍの一辺上を避けた位置に配される凹み部形成用のピースとに分類することができる。すなわち、第１〜第３タイプのピースＡ、Ｂ、Ｃが、平板状のピースに分類され、また、第４〜第６タイプのピースＤ、Ｅ、Ｆが、凹み部形成用のピースに分類される。そして、凹み部形成用のピースに分類される第４〜第６タイプのピースＤ、Ｅ、Ｆにより前記大区分の収納空間の外周上に現れる凹凸形状を利用して、他の収納ボックスＸとかみ合わせて使用することができる。
【００３４】
より具体的には、例えば、「０３」タイプの収納空間を有する収納ボックスＸ（以下、収納ボックスＸ「０３」と呼ぶ。）の外周上に現れる凹部と、「０４」タイプの収納空間を有する収納ボックスＸ（以下、収納ボックスＸ「０４」と呼ぶ。）の外周上に現れる凸部とを一例に挙げて説明すると、収納ボックスＸ「０３」の外周上に現れる凹部は、第５タイプのピースＥによるものであり、収納ボックスＸ「０４」の外周上に現れる凸部は、一対の第４タイプのピースＤと、これらに挟まれた第３タイプのピースＣとによるものである。そこで、凹部の幅寸法と、凸部の幅寸法とを比較すると、図１より前者は１０３ｍｍであり、後者は約８８．４８ｍｍであるので、収納ボックスＸ「０３」と収納ボックスＸ「０４」とを好適にかみ合わせて使用することができる。なお、一のピースの鍔部と他のピースの鍔部とを重合させて連結する際に、隣接する仮想小区分ｍの境界から収納空間側にオフセットした位置で重合するように構成しているので、収納ボックスＸの外周上に現れる凹凸形状を利用して複数のボックスをかみ合わせて使用する際にも、その鍔部が、かみ合わせて使用することの妨げにならない。
【００３５】
以下、収納ボックスＸの組立方法を以下に説明する。
【００３６】
なお、本実施形態では、６つのピースＡ〜Ｆの中からピースを選択する際には、仮想大区分Ｍを囲む外周又は、この仮想大区分Ｍを構成する複数の仮想小区分ｍから１以上の仮想小区分ｍを取り除いた残りの仮想小区分ｍを囲む外周と、前記大区分の収納空間の外周とが一致することを、ピースの選択条件として課すようにしている。
【００３７】
換言すると、前記大区分の収納空間が、少なくとも中央の１個の仮想小区分ｍを残しながら、且つ、前記仮想大区分Ｍの四辺において各辺の少なくとも一部に仮想小区分ｍが残ることを条件として、他の８個の仮想小区分ｍのうち０個又は１個以上の仮想小区分ｍを、前記仮想大区分Ｍから除外して成る形状を有するように、組み立てに用いるピースを選択するようにすることを、ピースの選択条件として課すようにしている。
【００３８】
（１）「１０」タイプの収納空間を有する収納ボックスＸ（以下、収納ボックスＸ「１０」と呼ぶ。）の組立方法の一例。
【００３９】
まず、６つのピースの中から、組立に用いるピースを選択する。その際、、図３に示す、断面図を利用して、パズルのように各ピースを適宜配置し、大区分の収納空間を完成するようにすることで、組立に用いるピースを選択することもできるが、例えば、図４に示すような組立用パーツリストを予め用意しておけば、簡単に組立に用いるピースを選択することができる。
【００４０】
そして、収納ボックスＸ「１０」の組立に必要なピースとして、第２タイプのピースＢを２個、第３タイプのピースＣを２個、第４タイプのピースＤを３個の合計７個のピースを選択し、各ピースの鍔部の取付孔ｐとビスとを利用して、各ピースを順次組み立て、図５に示す収納ボックスＸ「１０」を完成させる。
【００４１】
（２）収納ボックスＸ「１０」の使用態様の一例。
【００４２】
本実施形態では、例えば、図５の＃１０（１）に示すように、第３タイプのピースＣの第３面板部Ｃ１を接地させて使用する使用態様（すなわち、組立基準辺Ｃ１１を接地させて使用する使用態様）と、図５の＃１０（２）に示すように、第３タイプのピースＣの第３左鍔部Ｃ２と第２タイプのピースＢの第２右鍔部Ｂ３とを接地させて使用する使用態様（すなわち、複数の鍔部を接地させて使用する使用態様）とを取ることができる。
【００４３】
図５の＃１０（１）に示すように組立基準辺Ｃ１１を接地させて使用する使用態様では、図示するように、物品Ｎ（例えばＡ４サイズのノート等）を第３面板部Ｃ１に載置して当該収納ボックスＸ「１０」内に収納することができる上、図示していないが、水平に配された状態の第４タイプのピースＤの第４左面板部Ｄ１に物品Ｎを載置して当該収納ボックスＸ「１０」に収納することもできる。さらに、例えば、第２タイプのピースＢの第２面板部Ｂ１に物品Ｎを載置したり、水平に配された状態の第４タイプのピースＤの第４右面板部Ｄ２に物品Ｎを載置したりするなど、当該収納ボックスＸ「１０」の外側を利用して物品Ｎを載置して使用することを妨げない。
【００４４】
図５の＃１０（２）に示すように複数の鍔部Ｃ２、Ｂ３を接地させて使用する使用態様では、図示するように、斜めに配された状態の第４タイプのピースＤの第４右面板部Ｄ２等に物品Ｎを寄り掛からせて収納することができる上、図示していないが、斜めに配された状態の第３面板部Ｃ１等に物品Ｎを寄り掛からせて収納することもできる。さらに、例えば、斜めに配された状態の第４タイプのピースＤの第４左面板部Ｄ１等に物品Ｎを寄り掛からせるなど、当該収納ボックスＸ「１０」の外側を利用して物品Ｎを寄り掛からせて使用することを妨げない。
【００４５】
（３）収納ボックスＸ「１３」の使用態様の一例。
【００４６】
この収納ボックスＸ「１３」においても、上述した収納ボックスＸ「１０」と同様に、組立基準辺Ｂ１１を接地させて使用する使用態様（図６の＃１３（３））と、複数の鍔部Ｃ２、Ｃ３或いはＣ３、Ｂ２を接地させて使用する使用態様（図６の＃１３（１）及び（２））とを取ることができる。
【００４７】
また、上述した収納ボックスＸ「１０」と同様に、この収納ボックスＸ「１３」の内部に物品Ｎを収納するに限らず、外側を利用して物品Ｎを載置して使用することを妨げない。
【００４８】
（４）収納ボックスＸ「１６」の使用態様の一例。
【００４９】
この収納ボックスＸ「１６」においても、上述した収納ボックスＸ「１０」と同様に、組立基準辺Ｃ１１を接地させて使用する使用態様（図７の＃１６（１）及び（２））と、複数の鍔部Ｃ２、Ｃ３を接地させて使用する使用態様（図７の＃１６（３））とを取ることができる。
【００５０】
また、上述した収納ボックスＸ「１０」と同様に、この収納ボックスＸ「１６」の内部に物品Ｎを収納するに限らず、外側を利用して物品Ｎを載置して使用することを妨げない。
【００５１】
（５）収納ボックスＸ「１７」の使用態様の一例。
【００５２】
この収納ボックスＸ「１７」においても、上述した収納ボックスＸ「１０」と同様に、組立基準辺Ｂ１１を接地させて使用する使用態様（図８の＃１７（２））と、複数の鍔部Ｄ３、Ｄ４を接地させて使用する使用態様（図８の＃１７（１））とを取ることができる。
【００５３】
また、上述した収納ボックスＸ「１０」と同様に、この収納ボックスＸ「１７」の内部に物品Ｎを収納するに限らず、外側を利用して物品Ｎを載置して使用することを妨げない。
【００５４】
（６）収納ボックスＸ「１８」の使用態様の一例。
【００５５】
この収納ボックスＸ「１８」においても、上述した収納ボックスＸ「１０」と同様に、組立基準辺Ｂ１１を接地させて使用する使用態様（図示していないが、第２タイプのピースＢの第２面板部Ｂ１を接地させて使用する使用態様）と、複数の鍔部Ｂ３、Ｃ２を接地させて使用する使用態様（図９の＃１８（１））とを取ることができる。
【００５６】
また、上述した収納ボックスＸ「１０」と同様に、この収納ボックスＸ「１８」の内部に物品Ｎを収納するに限らず、外側を利用して物品Ｎを載置して使用することを妨げない。
【００５７】
（７）収納ボックスＸ「１０」、「１３」、「１６」、「１７」、「１８」以外の収納ボックスＸについても同様の使用態様を取り得るが説明を省略する。
【００５８】
このように、本実施形態に係る収納ボックスＸによれば、異なるタイプの６種類のピースＡ〜Ｆの中から選択したピースを、組立基準辺を基準に組み立てるだけで、複数の仮想小区分ｍからなる断面視多角形状を成す大区分の収納空間が、その選択したピースに囲まれて形成されるので、断面視多角形状を成す大区分の収納空間を利用して、物品Ｎをいろいろな収納態様で収納することができる。また、外周に出てくる凹凸形状を利用して、当該収納ボックスＸをいろいろな置き方をすることができるので、使用しているうちに飽きが来てしまうことを防止することができる。すなわち、いろいろな使い方をしたいといったユーザのニーズに好適に対応可能な収納ボックスＸを提供することができる。
【００５９】
前記仮想大区分Ｍの一辺上に配される平板状のピースＡ〜Ｃと、前記仮想大区分Ｍの少なくとも一辺を内側へ凹ませるべく、前記仮想大区分Ｍの一辺上を避けた位置に配される凹み部形成用のピースＤ〜Ｆとを具備し、これら平板状のピースＡ〜Ｃと凹み部形成用のピースＤ〜Ｆとから、組み立てに用いるピースを選択するようにしているので、無用に複雑化することなくシンプルなピースを用いて収納ボックスＸを形成することができる。
【００６０】
特に、凹み部形成用のピースＤ〜Ｆにより前記大区分の収納空間の外周上に現れる凹凸形状を利用して、他の収納ボックスＸとかみ合わせて使用し得るように構成しているので、よりバリエーション豊かな使い方のできる収納ボックスＸを実現することができる。
【００６１】
また、前記仮想大区分Ｍが、縦横３列に並べた略正方形状をなす９個の仮想小区分ｍから成るものであって、前記大区分の収納空間が、少なくとも中央の１個の仮想小区分ｍを残しながら、且つ、前記仮想大区分Ｍの四辺において各辺の少なくとも一部に仮想小区分ｍが残ることを条件として、他の８個の仮想小区分ｍのうち０個又は１個以上の仮想小区分ｍを、前記仮想大区分Ｍから除外して成る形状を有するように、組み立てに用いるピースを選択するようにしているので、例えば、縦横４列に並べた略正方形をなす１６個の仮想小区分ｍから成る仮想大区分Ｍを利用してピースを選択するものに比べ、無用に複雑化することもないので製品化し易く、また、縦横２列に並べた略正方形をなす４個の仮想小区分ｍから成る仮想大区分Ｍを利用してピースを選択するものに比べ、仮想大区分Ｍのバリエーションを多くできるので、いろいろな使い方をすることができる。すなわち、製品化するに非常に適した収納ボックスＸを提供することができる。
【００６２】
また、各ピースが、ピース同士を重合した状態で連結可能な鍔部Ａ２等を備えているので、ピース同士を簡単に連結することができる。
【００６３】
一のピースの鍔部と他のピースの鍔部とを重合させて連結する際に、隣接する仮想小区分ｍの境界から収納空間側にオフセットした位置で重合するように構成しているので、重合した鍔部が、仮想小区分ｍの境界から反収納空間側に飛び出ないので、その反収納空間側にある物品Ｎと無用に干渉せず、使い勝手がよい。特に、他の収納ボックスＸとかみ合わて使用する際に、連結部分がかみ合わせの妨げにならず、好適に使用できる。
【００６４】
また、第１左鍔部Ａ２や第１右鍔部Ａ３のように、組立基準辺Ａ１１の両端に、その組立基準辺Ａ１１と略４５度を成すように設けることにより、組立基準辺または複数の鍔部を接地させて使用する使用態様を取り得るようにしているので、組立基準辺を接地させた使用態様や複数の鍔部を接地させた使用態様などの異なる使用態様を取れる等、バリエーションに富んだ使い方ができる収納ボックスＸを提供することができる。
【００６５】
なお、本発明は、以上に詳述した実施形態に限られるものではない。
【００６６】
例えば、異なるタイプの複数のピースの全てが、組立基準辺を一辺に有する平板状のものにすることもできる。
【００６７】
具体的には、図１０、図１１に示すように、第１タイプのピースａは、基準寸法（１２７．２５ｍｍ）の略３倍の寸法の組立基準辺（３８１ｍｍ）を下辺に有し、上辺を３５１ｍｍに設定した断面視略扁平台形状のものである。そして、この第１タイプのピースａは、後述する他のピースと同様、厚さ１５ｍｍのＭＤＦを切削加工により所定形状に形成した後、ウレタン塗装を施している。
【００６８】
第２タイプのピースｂは、基準寸法（１２７．２５ｍｍ）の略２倍の寸法の組立基準辺（２５３．７５ｍｍ）を下辺に有し、上辺を２２３．７５ｍｍに設定した断面視略扁平台形状のものである。
【００６９】
第３タイプのピースｃは、基準寸法（１２７．２５ｍｍ）の２倍の寸法の組立基準辺（２５４．５ｍｍ）を対辺に有する断面視略扁平平行四辺形状のものである。
【００７０】
第４タイプのピースｄは、基準寸法（１２７．２５ｍｍ）の略当倍の寸法の組立基準辺（１２６．５ｍｍ）を下辺に有し、上辺を９５．６ｍｍに設定した断面視略扁平台形状のものである。
【００７１】
第５タイプのピースｅは、基準寸法（１２７．２５ｍｍ）の略当倍の寸法の組立基準辺（１２８ｍｍ）を上辺に有し、下辺を１５８ｍｍに設定した断面視略扁平台形状のものである。
【００７２】
第６タイプのピースｆは、基準寸法（１２７．２５ｍｍ）の当倍の寸法の組立基準辺（１２７．２５ｍｍ）を対辺に有する断面視略扁平平行四辺形状のものである。
【００７３】
これら第１〜第６タイプのピースａ、ｂ、ｃ、ｄ、ｅ、ｆの中から選択したピースを、後述する組立基準辺を基準に組み立てることにより、図１２、図１３に示す複数の仮想小区分ｍから成る断面視多角形状を成す大区分の収納空間が、その選択したピースに囲まれて形成される。
【００７４】
なお、各ピースを組立する際には、接着剤やネジなどを用いるなど、適宜方法で連結すればよい。
【００７５】
このように構成すれば、例えば、組み立てずに運送すれば、かさばらないので運送費を安価にできる等、省スペース化による経済的な効果を得られる。
【００７６】
また、各ピースＡ〜Ｆをプラスチック製のものとするなど、各ピースを構成する素材は実施態様に応じて適宜変更可能である。
【００７７】
また、各ピースＡ〜Ｆの形状や寸法も、本実施形態に限られるものではない。
【００７８】
また、本実施形態では、６種類のピースＡ〜Ｆから組立に用いるピースを選択するように構成しているが、ピースの７種類以上のものから選択したり、５種類のピースから選択したりするなど、ピースの種類は適宜設定可能である。
【００７９】
その他、各部の具体的構成についても上記実施形態に限られるものではなく、本発明の趣旨を逸脱しない範囲で種々変形が可能である。
【図面の簡単な説明】
【００８０】
【図１】本発明の一実施形態に係る収納ボックスの組立に用いる各ピースの断面図及びピースの鍔部を示す図。
【図２】同実施形態における各ピースの辺の寸法一覧。
【図３】同実施形態における収納ボックスの断面図に仮想小空間及び仮想大空間を重ねて示す図。
【図４】同実施形態における各種形状の収納ボックスを構成するパーツ一覧表。
【図５】同実施形態における収納ボックス「１０」を示す全体斜視図。
【図６】同実施形態における収納ボックス「１３」を示す全体斜視図。
【図７】同実施形態における収納ボックス「１６」を示す全体斜視図。
【図８】同実施形態における収納ボックス「１７」を示す全体斜視図。
【図９】同実施形態における収納ボックス「１８」を示す全体斜視図。
【図１０】本発明の他の実施形態に係る収納ボックスの組立に用いる各ピースの断面図。
【図１１】同実施形態における各ピースの辺の寸法一覧。
【図１２】同実施形態における収納ボックスの断面図。
【図１３】同実施形態における収納ボックスの断面図。
【符号の説明】
【００８１】
Ａ・・・・・・・第１タイプのピース
ａ・・・・・・・第１タイプのピース
Ｂ・・・・・・・第２タイプのピース
ｂ・・・・・・・第２タイプのピース
Ｃ・・・・・・・第３タイプのピース
ｃ・・・・・・・第３タイプのピース
Ｄ・・・・・・・第４タイプのピース
ｄ・・・・・・・第４タイプのピース
Ｅ・・・・・・・第５タイプのピース
ｅ・・・・・・・第５タイプのピース
Ｆ・・・・・・・第６タイプのピース
ｆ・・・・・・・第６タイプのピース
Ａ２・・・・・・鍔部（第１左鍔部）
Ａ３・・・・・・鍔部（第１右鍔部）
Ｂ２・・・・・・鍔部（第２左鍔部）
Ｂ３・・・・・・鍔部（第２右鍔部）
Ｃ２・・・・・・鍔部（第３左鍔部）
Ｃ３・・・・・・鍔部（第３右鍔部）
Ｄ３・・・・・・鍔部（第４左鍔部）
Ｄ４・・・・・・鍔部（第４右鍔部）
Ｅ４・・・・・・鍔部（第５左鍔部）
Ｅ５・・・・・・鍔部（第５右鍔部）
Ｆ３・・・・・・鍔部（第６左鍔部）
Ｆ４・・・・・・鍔部（第６右鍔部）
Ａ１１・・・・・組立基準辺
Ｂ１１・・・・・組立基準辺
Ｃ１１・・・・・組立基準辺
Ｄ１１・・・・・組立基準辺
Ｄ２１・・・・・組立基準辺
Ｅ１１・・・・・組立基準辺
Ｅ２１・・・・・組立基準辺
Ｅ３１・・・・・組立基準辺
Ｆ１１・・・・・組立基準辺
Ｆ２１・・・・・組立基準辺
Ａ、Ｂ、Ｃ・・・平板状のピース
Ｄ、Ｅ、Ｆ・・・凹み部形成用のピース
ｍ・・・・・・・仮想小区分
Ｍ・・・・・・・仮想大区分
Ｘ・・・・・・・収納ボックス
【図１】
2006062668.tif 000003
【図２】
2006062668.tif 000004
【図３】
2006062668.tif 000005
【図４】
2006062668.tif 000006
【図５】
2006062668.tif 000007
【図６】
2006062668.tif 000008
【図７】
2006062668.tif 000009
【図８】
2006062668.tif 000010
【図９】
2006062668.tif 000011
【図１０】
2006062668.tif 000012
【図１１】
2006062668.tif 000013
【図１２】
2006062668.tif 000014
【図１３】
2006062668.tif 000015